(57)【要約】【課題】簡素な構成の受信装置に装着することにより、その受信装置からのディジタル音声出力を行えるようにする。【解決手段】音声出力カード１０は、ＤＶＢ規格に基づく地上ディジタル放送を受信し表示する受信装置１００のＣＩスロット１１０に挿入されて用いられる。音声出力カード１０は、ＣＩスロット１１０に挿入された状態で受信装置１００からＴＳが入出力される接続部１１と、カード各部の動作を制御する制御部１２と、接続部１１を介して入力されたＴＳからディジタル音声信号を生成する復号部１３と、復号部１３により生成されたディジタル音声信号を例えば同軸端子から出力する出力部１４とを有している。受信装置１００にディジタル音声出力機能がなくても、音声出力カード１０を用いて、ディジタル音声出力を行うことができる。【選択図】図２
2009152777.tif 000002
【特許請求の範囲】
【請求項１】
ＤＶＢ（Digital Video Broadcasting）規格に基づく地上ディジタル放送を受信可能な受信装置に設けられ、ＤＶＢ−ＣＩ（Digital Video Broadcasting - Common Interface）規格に対応するコモンインターフェーススロットに挿入され、当該受信装置から電源が供給されて動作可能な音声出力カードであって、
前記コモンインターフェーススロットに挿入された状態で前記受信装置から地上ディジタル放送信号が入出力される接続部と、
前記接続部を介して入力された地上ディジタル放送信号からディジタル音声信号を生成する復号部と、
前記復号部の動作を制御する制御部と、
前記復号部により生成されたディジタル音声信号を出力するための出力部とを有し、
前記接続部を介して入力された地上ディジタル放送信号から、前記復号部によりディジタル音声信号を生成し、当該ディジタル音声信号を前記出力端子から出力可能であり、当該入力された地上ディジタル放送信号を、前記接続部を介して受信装置に出力することを特徴とする音声出力カード。
【請求項２】
ユーザにより操作され指示が入力される操作入力部をさらに備え、
前記制御部は、前記操作入力部に入力された指示に応じて、前記復号部によるディジタル音声信号の生成動作の実行／停止を切り替え可能に構成されていることを特徴とする請求項１記載の音声出力カード。
【請求項３】
当該音声出力カードの各部を収納するカード筐体が、当該音声出力カードが前記受信装置に挿入されたとき、スクランブル化された所定の地上ディジタル放送のスクランブル解除を行うために前記コモンインターフェーススロットに挿入可能なスクランブル解除カードとは異なる駆動電圧で駆動されるように当該受信装置により認識可能な形状に形成されていることを特徴とする請求項１又は請求項２記載の音声出力カード。
【発明の詳細な説明】
【技術分野】
【０００１】
本発明は、ＤＶＢ−ＣＩ（Digital Video Broadcasting - Common Interface）規格に対応したコモンインターフェーススロットを有し、ＤＶＢ規格に基づく地上ディジタル放送を受信する受信装置に装着可能な音声出力カードに関する。
【背景技術】
【０００２】
地上ディジタル放送を受信可能な受信装置としては、多様な入出力端子等を設けたり、種々の機能を付加して高機能化し、高コストではあるがより便利に使用可能に構成されたものがある（例えば、特許文献１又は特許文献２参照）。他方、これとは対照的に、比較的簡素な構成を採用することにより低コスト化されており、機能が少ないがユーザが入手しやすいように低価格に構成されているものがある。このような、入出力端子の種類や内蔵機能が比較的少ない簡素な構成の受信装置においては、例えば、ユーザが、新たに外部機器等を接続し種々の機能を付加して便利に使用したいという要望を持っても、その外部機器を接続可能な入出力端子がそもそも設けられておらず、その要望を実現できないことがある。そのため、このような要望を実現するには、新たに高機能な受信装置を購入する必要がある。
【０００３】
以下に、上記問題点の一具体例を示す。例えば、ディジタル音声出力を除いた簡素な構成を採用した受信装置において、音声は、受信装置内部で、地上ディジタル放送のディジタル音声信号についてディジタル／アナログ変換を行い、装置に設けられているスピーカから出力されたり、装置からのアナログ出力を外部スピーカ等から出力されたりする。しかしながら、このようなディジタル音声出力が省かれた受信装置は、ディジタル音声信号を装置から出力し、装置外部のディジタルアンプにてディジタル／アナログ変換を行い、外部スピーカ等を用いてより高品位な音声出力を行いたい等とするユーザの要望には応えることができない。すなわち、このようなディジタル音声出力を行うためには、新たにディジタル音声信号を出力可能な受信装置を用意しなければならず、不経済である。
【０００４】
ここで、特許文献１には、放送受信用情報カードに記録されている個人情報に応じて映像や音声の調整や予約番組受信処理などを行うディジタル放送受信装置が開示されている。また、特許文献２には、放送内容の出力を中断したときに録画部により放送内容を記録し、出力中断解除したときに中断時から遡った時点から再生を再開するテレビ機能付き携帯端末装置の構成が開示されている。しかしながら、このような特許文献１又は特許文献２に記載の受信装置は、個人情報に基づいて種々の処理を実行する機能を有するように予め構成されているものであり、既存の受信装置に新たに機能を付加可能なものではない。
【０００５】
特許文献３には、装着口に着脱自在な半導体メモリーカードにテレビジョン放送を録画できる映像表示装置の構成が開示されている。しかしながら、このような映像表示装置は、メモリーカードを装着可能に構成されており、また、テレビジョン放送を録画可能にする機能を有するように予め構成されており、既存の受信装置に新たに機能を付加可能なものではない。
【０００６】
特許文献４には、テレビジョン受像機の向きを人センサにより検出した人に向けるようにしたテレビジョン受像機の構成が開示されている。また、特許文献５には、人体センサにより検知された人の位置がテレビジョン受像機から所定の距離以内にある場合に、画像を消す等の制御を行うようにしたテレビジョン受像機の構成が開示されている。しかしながら、特許文献４及び特許文献５に開示されているテレビジョン受像機は、テレビジョン受像機本体に人の存在を検知するセンサを設けたものであり、高コストなものである。また、既存の簡素な構成の受信装置に新たに人の存在を検知するセンサを設ける等、既存の受信装置に機能を付加可能なものではない。
【０００７】
なお、特許文献６には、パーソナルコンピュータの外部接続用カードスロットに装着され、受信した映像信号及び音声信号をディジタル化しパーソナルコンピュータに出力する放送受信カードが開示されているが、このカードはパーソナルコンピュータにて放送を視聴可能にするものであり、上記問題点に対する有効な解決策は開示されていない。
【特許文献１】特開２００１−２５８００７号公報
【特許文献２】特開２００６−３３９９３２号公報
【特許文献３】特開２００５−３３３１９４号公報
【特許文献４】特開平６−１７８２３５号公報
【特許文献５】特開２００１−７４８５４号公報
【特許文献６】特開平８−３０７７８４号公報
【発明の開示】
【発明が解決しようとする課題】
【０００８】
本発明は、上記問題点を鑑みてなされたものであり、簡素な構成の受信装置に装着することによりその受信装置からディジタル音声を出力可能にする音声出力カードを提供することを目的とする。
【課題を解決するための手段】
【０００９】
上記目的を達成するため、請求項１の発明は、ＤＶＢ（Digital Video Broadcasting）規格に基づく地上ディジタル放送を受信可能な受信装置に設けられ、ＤＶＢ−ＣＩ（Digital Video Broadcasting - Common Interface）規格に対応するコモンインターフェーススロットに挿入され、当該受信装置から電源が供給されて動作可能な音声出力カードであって、前記コモンインターフェーススロットに挿入された状態で前記受信装置から地上ディジタル放送信号が入出力される接続部と、前記接続部を介して入力された地上ディジタル放送信号からディジタル音声信号を生成する復号部と、前記復号部の動作を制御する制御部と、前記復号部により生成されたディジタル音声信号を出力するための出力部とを有し、前記接続部を介して入力された地上ディジタル放送信号から、前記復号部によりディジタル音声信号を生成し、当該ディジタル音声信号を前記出力端子から出力可能であり、当該入力された地上ディジタル放送信号を、前記接続部を介して受信装置に出力するものである。
【００１０】
請求項２の発明は、請求項１の発明において、ユーザにより操作され指示が入力される操作入力部をさらに備え、前記制御部は、前記操作入力部に入力された指示に応じて、前記復号部によるディジタル音声信号の生成動作の実行／停止を切り替え可能に構成されているものである。
【００１１】
請求項３の発明は、請求項１又は請求項２の発明において、当該音声出力カードの各部を収納するカード筐体が、当該音声出力カードが前記受信装置に挿入されたとき、スクランブル化された所定の地上ディジタル放送のスクランブル解除を行うために前記コモンインターフェーススロットに挿入可能なスクランブル解除カードとは異なる駆動電圧で駆動されるように当該受信装置により認識可能な形状に形成されているものである。
【発明の効果】
【００１２】
請求項１の発明によれば、地上ディジタル放送信号からディジタル音声信号を生成し出力することができるので、受信装置がディジタル音声出力に対応していない場合であっても、この音声出力カードを既存のコモンインターフェーススロットに挿入することにより、地上ディジタル放送のディジタル音声信号を出力することが可能である。ディジタル音声出力に対応した高価な受信装置を新たに用いる必要なく、既存の受信装置と共に比較的安価な音声出力カードを用いるだけで、より少ない費用で、ディジタル音声出力機能を利用可能にすることができる。
【００１３】
請求項２の発明によれば、操作入力部に指示を入力することにより、ディジタル音声信号の出力／停止を切り替えることができるので、不必要な場合にはディジタル音声出力を停止させ、消費電力を低減することができる。
【００１４】
請求項３の発明によれば、音声出力カードのカード筐体は、一般にコモンインターフェーススロットに挿入され用いられるスクランブル解除カードとは異なる駆動電圧で駆動されるように、受信装置により認識可能な形状に形成されている。従って、例えばカード種別識別機能等を有する受信装置のコモンインターフェーススロットに挿入されているときに、その受信装置に、コモンインターフェーススロットにスクランブル解除カードとは異なるカードが挿入されていることを受信装置に認識させることができる。
【発明を実施するための最良の形態】
【００１５】
先ず、例えば欧州などで行われているＤＶＢ（Digital Video Broadcasting）規格に基づく地上ディジタル放送に対応した受信装置の構成について説明する。ＤＶＢ規格に基づく地上ディジタル放送のトランスポートストリーム（地上ディジタル放送信号；以下ＴＳと称する）は、所定の方式（例えばＭＰＥＧー４等）に基づいて符号化された映像信号及び音声信号を含むものである。図１は、受信装置の一例を示す。受信装置１００は、例えばテレビジョン放送受像機である。受信装置１００は、地上ディジタル放送を選局するチューナ１０１と、チューナ１０１により選局された地上ディジタル放送の信号をディジタルデータのＴＳとして復調する復調部１０２と、ＴＳから選別した所定の番組データに含まれる映像信号及び音声信号を復号する復号部１０４を有し装置各部の動作を制御する制御部１０３と、制御部１０３の動作に伴い種々のデータが記憶されるメモリ１０５と、復号部１０４により復号された映像信号に基づいて画像処理を行う画像処理部１０６と、例えば液晶表示パネルとそれを駆動する駆動回路等で構成され、画像処理部から出力された映像信号に基づいて液晶表示パネルに画像を表示する表示部１０７と、復号部１０４により復号されたディジタル形式の音声信号をアナログ音声信号に変換する変換部１０８と、増幅回路及びスピーカ等で構成され、変換部から出力されたアナログ音声信号を増幅／減衰しスピーカから出力する音声出力部１０９等で構成されている。
【００１６】
ここで、ＤＶＢ規格では、ＤＶＢ−ＣＳＡ（Common Scrambling Algorithm）規格に基づきスクランブル化された放送を有料放送の契約者のみに視聴可能にする限定受信（ＤＶＢ−ＣＡ（conditional Access））システムが規定されている。限定受信システムにおいては、インターフェース規格として、ＤＶＢ−ＣＩ（Digital Video Broadcasting - Common Interface）規格が規定されている。受信装置１００は、ＤＶＢ規格に対応するものであるため、このＤＶＢ−ＣＩ規格に対応するコモンインターフェーススロット（以下、ＣＩスロットと称する）１１０と、制御部１０３に設けられておりＣＩスロット１１０にカードが挿入されているかどうか検出する機能（カードディテクト機能）を有するＣＩ制御部１１１とを有している。ＣＩスロット１１０に当該規格に対応するカードが挿入されると、ＣＩ制御部１１１がそのカード挿入を検知し、そのカードに、規格に基づくカード形状に応じた駆動電圧（例えば５Ｖ又は３．３Ｖ）の電源をＣＩスロット１１０から供給させる。また、ＣＩ制御部１１１は、カードがＣＩスロット１１０に挿入されているときには、復調部１０２から復号部１０４までの間のＴＳの流れる経路を変更し、ＴＳをＣＩスロット１１０から一旦カードに出力させた後、カードから入力されたＴＳを復号部１０４に入力させるように構成されている。ユーザは、例えば、ある放送事業者によるスクランブル化された地上ディジタル放送の視聴を所望する場合、当該放送事業者等と契約するなどしてスクランブル解除カード８０を入手することができる。スクランブル解除カード８０は、例えば受信装置１００から５Ｖの電源が供給されるような、規格に基づく形状を有している。スクランブル解除カード８０は、スクランブル化された放送を解除するためのキー情報を備え、そのキー情報に基づき、ＣＩスロット１１０から入力されたＴＳに施されたスクランブルを解除する機能を有している。ユーザは、このスクランブル解除カード８０をＣＩスロット１１０に挿入することにより、所定のスクランブル化された地上ディジタル放送のスクランブルを解除させることができ、当該放送を視聴することができる。
【００１７】
次に、本発明の第１実施形態について図面を参照して説明する。図２は、本実施形態に係る音声出力カードの構成を示す。音声出力カード１０は、例えば上記のような受信装置１００のＣＩスロット１１０に挿入されて用いられる。音声出力カード１０は、ＣＩスロット１１０に挿入された状態で受信装置１００からＴＳが入出力される接続部１１と、カード各部の動作を制御する制御部１２と、制御部１２に設けられ、接続部１１を介して入力されたＴＳから所定の番組データを選別してその番組データからディジタル音声信号を生成する復号部１３と、復号部１３により生成されたディジタル音声信号を例えば同軸端子から出力する出力部１４と、例えば押しボタン型スイッチであり、ユーザによる指示が入力される操作入力部１５とを有している。本実施形態において、制御部１２は、例えば、ユーザによる押しボタン型スイッチの押下操作等、操作入力部１５に入力された指示に応じて、復号部１３におけるディジタル音声信号の生成動作の実行／停止を行うように構成されている。すなわち、ユーザは、必要に応じて操作入力部１５の押しボタンを押下操作することにより、ディジタル音声出力が不必要である時にはディジタル音声出力を停止させて、制御部１２等で消費される電力を低減させることができる。
【００１８】
音声出力カード１０の各部は、出力部１４の同軸端子等を除き、ＣＩスロット１１０に挿入可能なカード筐体に収納されている。本実施形態において、音声出力カード１０のカード筐体は、例えば所定の規格（ＤＶＢ−ＣＩ規格等）に適合するように形成されているものであるため、図示を省略する。カード筐体は、上記のように駆動電圧が例えば５Ｖであるスクランブル解除カード８０とは異なる駆動電圧（例えば、３．３Ｖ）の電源が受信装置１００により供給されるような所定の規格に基づく形状に形成されている。すなわち、音声出力カード１０がＣＩスロット１１０に挿入されると、受信装置１００のＣＩ制御部１１１が、駆動電圧を例えば３．３Ｖとする当該カードがＣＩスロット１１０に挿入されたことを認識し、受信装置１００から電源が供給され、音声出力カード１０が動作可能になる。
【００１９】
音声出力カード１０がＣＩスロット１１０に挿入されているとき、チューナ１０１及び復調部１０２で受信されたＴＳは、ＣＩスロット１１０から接続部１１に入力される。制御部１２は、復号部１３でのディジタル音声信号の生成動作を実行させるとき、入力されたＴＳに基づき、所定の地上ディジタル放送の番組の音声をディジタル音声信号として生成し、生成したディジタル音声信号を出力部１４から出力させる。これにより、ユーザは、出力部１４の同軸端子等と外部のディジタルオーディオアンプ等を接続し、そのアンプ等を用いて高品位な音声出力を得ることができる。なお、本実施形態において、接続部１１に入力されたＴＳは、接続部１１から、ＣＩスロット１１０に出力される。音声出力カード１０から出力されたＴＳは、受信装置１００の復号部１０４に入力され、受信装置１００の制御部１０３の制御により復号処理等が行われる。
【００２０】
このように、本実施形態においては、音声出力カード１０により地上ディジタル放送信号からディジタル音声信号を生成し出力することができるので、受信装置１００がディジタル音声出力に対応していない場合であっても、この音声出力カード１０を既存のＣＩスロット１１０に挿入することにより、地上ディジタル放送のディジタル音声信号を出力することが可能である。ディジタル音声出力に対応した高価な受信装置を新たに用いる必要なく、既存の受信装置１００と共に比較的安価な音声出力カードを用いるだけで、より少ない費用で、ディジタル音声出力機能を利用可能にすることができる。
【００２１】
ここで、本実施形態において、音声出力カード１０の駆動電圧がスクランブル解除カード８０の駆動電圧とは異なるので、上記の受信装置１００とは異なり、例えば、音声出力カード１０の判定機能等、制御部が実行可能なカード種別識別機能を有する受信装置に、音声出力カード１０が挿入されているとき、当該音声出力カード１０がスクランブル解除カード８０とは異なるカードであることをその受信装置に認識させることができる。従って、例えば、受信装置のオンスクリーン表示機能によりスクランブル解除カード８０とは異なるカードが挿入されていることをオンスクリーン表示可能に構成されている受信装置に、音声出力カード１０を挿入して用いることにより、その受信装置に、ＣＩスロット１１０に挿入されているカードのカード種別等を判別させてユーザに通知させることなどができ、受信装置をより便利に利用可能にすることができる。
【００２２】
なお、本実施形態において、スクランブル解除カード８０に替えて音声出力カード１０を挿入してディジタル音声出力を行う場合には、スクランブル化された地上ディジタル放送の視聴及びディジタル音声出力を行うことはできず、スクランブル化されていない地上ディジタル放送の視聴及びディジタル音声出力を行うことができる。
【００２３】
次に、本発明の第２実施形態について図面を参照して説明する。図３は、第２実施形態に係るタイムシフト視聴カードの一例を示す。以下に説明する実施形態において、上述の第１実施形態に係る音声出力カード１０と同様の構成要素には同一の符号を付し、上述の第１実施形態の音声出力カード１０とは構成が相違する部分についてのみ説明する。
【００２４】
タイムシフト視聴カード２０は、受信装置１００のＣＩスロット１１０に挿入されて受信装置１００と共に用いられ、ユーザによる指示に基づいて、地上ディジタル放送の録画や再生等、タイムシフト視聴機能を実行可能に構成されている。タイムシフト視聴カード２０は、接続部１１と、制御部２２と、例えば小型ハードディスクドライブ又は不揮発性半導体メモリである記憶媒体２３と、ユーザによる操作が入力される操作入力部２５を有している。記憶媒体２３は、例えば、制御部２２の制御の下、所定時間を限度として、トランスポートストリーム（以下、ＴＳと称する）の記録（録画）や、記録されたＴＳの読み出し（再生）ができるように構成されている。第２実施形態において、操作入力部２５は、例えばユーザにより操作可能なリモートコントローラ等から発信された赤外線信号を受信する受光素子を有し、受信した赤外線信号を操作信号として制御部２２に伝達するように構成されている。制御部２２は、操作入力部２５から、ユーザにより行われた録画や再生の操作を示す操作信号が入力されると、当該操作信号に応じて、記憶媒体２３にＴＳを記録する録画動作や、記録されたＴＳを読み出す再生動作を実行する。
【００２５】
録画動作は、例えば、制御部２２の制御の下、接続部１１に入力されたＴＳを順次記憶媒体２３のデータ記録可能な空き領域可能に記録させることにより行われる。また、再生動作は、例えば、制御部２２の制御の下、記憶媒体２３から記録されているＴＳを読み出させ、読み出されたＴＳを、順次、接続部１１からＣＩスロット１１０を介し、受信装置１００に出力させて行われる。
【００２６】
第２実施形態において、再生動作が行われていないときには、受信装置１００から接続部１１に入力されたＴＳが受信装置１００に出力され、受信装置１００では、タイムシフト視聴カード２０から出力されたＴＳに基づいて、地上ディジタル放送の所定の番組をリアルタイム視聴可能に出力される。他方、再生動作が行われているときには、制御部２２の制御の下、受信装置１００から接続部１１に入力されたＴＳが接続部１１から受信装置１００に出力されず、そのＴＳに替えて、記憶媒体２３から再生されたＴＳが、接続部１１から受信装置１００に出力される。そして、受信装置１００では、タイムシフト視聴カード２０により再生されて出力されたＴＳに基づいて、地上ディジタル放送の所定の番組を、視聴可能に出力することができる。すなわち、ユーザは、タイムシフト視聴カード２０を用いて、リモートコントローラ等を用いた操作を行うことにより、任意の時間に、地上ディジタル放送のＴＳを記憶媒体２３に録画し、また、録画したＴＳを記憶媒体２３から再生させて視聴可能に出力することができる。なお、第２実施形態において、再生動作が行われず、録画動作が行われているときには、制御部２２は、受信装置１００から接続部１１に入力されたＴＳを記憶媒体２３に記録させつつ、そのＴＳを受信装置１００に出力するように構成されており、録画動作中にもその番組を視聴可能に構成されている。
【００２７】
ここで、本実施形態において、タイムシフト視聴カード２０を用いることにより、地上ディジタル放送の視聴中に一時視聴を中断し、その後視聴を再開する番組ポーズ視聴機能を実行させることができる。番組ポーズ視聴機能も、上記と同様に、ユーザにより、例えばリモートコントローラ上に設けられた番組ポーズボタン等の押下操作に応じて制御部２２が制御を行うことにより実行される。番組ポーズ視聴機能が実行されると、制御部２２は、そのとき接続部１１に入力されているＴＳの録画動作を実行するとともに、そのＴＳの受信装置１００への出力を停止させる。このとき、制御部２２は、受信装置１００へ、他のＴＳの出力をさせなくてもよく、また、番組ポーズ視聴機能が実行されている時点の地上ディジタル放送の静止画データを示すＴＳを生成して、そのＴＳを受信装置１００へ出力し、受信装置１００にて静止画が出力されるようにしてもよい。これにより、ユーザの地上ディジタル放送の視聴を一旦中断しつつ、中断された時点から後の地上ディジタル放送の録画が行われる。番組ポーズ視聴機能実行中に、例えばユーザにより所定の終了操作（例えば、リモートコントローラに設けられた停止ボタンの押下操作等）が行われると、制御部２２は、ＴＳの録画動作を終了し、接続部１１に入力されているＴＳの受信装置１００への出力が再開され、ユーザは、ポーズ終了操作後の地上ディジタル放送の視聴を行うことができる。番組ポーズ視聴機能実行中に、例えばユーザにより所定のポーズ解除操作（例えば、上記番組ポーズボタンの押下操作等）が行われると、制御部２２は、ＴＳの録画動作を継続したまま、番組ポーズ視聴機能により録画された時点からのＴＳの再生動作を行う。すなわち、ユーザは、ポーズ解除操作により、現在放送中の番組のＴＳを録画させながら、その番組の放送終了を待つことなく、録画された時点からの地上波ディジタル放送を視聴する番組ポーズ視聴を行うことができる。
【００２８】
このように、第２実施形態によれば、地上ディジタル放送の録画再生機能を有していない既存の受信装置１００のＣＩスロット１１０に比較的安価なタイムシフト視聴カード２０を挿入することにより、地上ディジタル放送の録画再生を行うことが可能になるので、録画再生機能を有する高価な受信装置や、録画再生機能を行うために受信装置と共に用いられる録画再生装置等を新たに用いる必要なく、より少ない費用で録画再生機能を利用可能にすることができる。録画時には、少なくとも受信装置１００から入力された地上ディジタル放送信号の当該受信装置１００への出力が停止され、番組ポーズ視聴を行うことができるので、少ない費用で受信装置１００をさらに高機能化させ、より便利に利用することができる。
【００２９】
なお、第２実施形態においても、タイムシフト視聴カード２０は、スクランブル解除カード８０とは異なる駆動電圧で駆動されるように受信装置に認識可能な規格に基づく形状に形成されているので、第１実施形態と同様に、例えば、カード種別識別機能を有する受信装置等に、タイムシフト視聴カード２０を挿入したとき、当該タイムシフト視聴カード２０がスクランブル解除カード８０とは異なるカードであることをその受信装置に認識させることができる。従って、その受信装置に、ＣＩスロット１１０に挿入されているカードのカード種別等を判別させてユーザに通知させること等ができ、受信装置をより便利に利用可能にすることができる。また、スクランブル解除カード８０に替えてタイムシフト視聴カード２０を挿入してタイムシフト視聴を行う場合には、スクランブル化された地上ディジタル放送の視聴を行うことはできず、スクランブル化されていない地上ディジタル放送の視聴を行うことができる。
【００３０】
次に、本発明の第３実施形態について図面を参照して説明する。図４は、第３実施形態に係るユーザ検知カード３０の一例を示す。ユーザ検知カード３０は、接続部１１と、制御部３２と、例えばＣＣＤ又はＣＭＯＳ等の撮像素子を有する検知部３３とを有している。ユーザ検知カード３０は、制御部３２が、接続部１１に入力されるＴＳはそのまま受信装置に出力するように構成されている。また、ユーザ検知カード３０は、上記第１実施形態及び第２実施形態とは異なり、ユーザ検知カード３０と共に用いられる受信装置に対し所定の制御信号を送信することができるように構成されている。すなわち、ユーザ検知カード３０は、上記の受信装置１００とは異なり、後述するような、当該ユーザ検知カード３０から送信される制御信号に対応して種々の動作を行う受信装置と共に用いられる。ユーザ検知カード３０を用いることにより、検知部３３によりユーザが受信装置付近に存在することやユーザの位置を検知し、それに伴い、受信装置に種々の動作を実行させることができる。
【００３１】
図５及び図６は、ユーザ検知カード３０と共に用いられる受信装置の一例を示す。受信装置１２０は、例えば、表示部１０７の液晶パネルの向きを変更するためのモータ１２１やそのモータ１２１の駆動回路を有するモータ駆動部１２２を有する点、及び、制御部１２３がユーザ検知カード３０から送信された制御信号に基づいてモータ駆動部１２２等の制御を行う点で上記の受信装置１００とは異なり、その他の部分は受信装置１００と同様に構成されている。図６に示すように、受信装置１２０は、表示部１０７の液晶パネルが設けられている部位が、スタンド１２８に対し、左右に回動可能に立設されている。ユーザ検知カード３０は、受信装置１２０のうち液晶パネルが設けられている部位に、例えば液晶パネルの正面方向と検知部３３の正面方向とが同じ向きになり、検知部３３が受信装置１２０の筐体から露出するように挿入されて用いられる。ユーザは、例えば、受信装置１２０に制御信号を送信可能なリモートコントローラ９を用いて制御信号を送信することにより、制御部１２３に、その制御信号に基づきモータ駆動部１２２を制御してモータ１２１を駆動させ、液晶パネルの向きを所定の範囲内の任意の向きに変更することができるように構成されている。この受信装置１２０において、制御部１２３は、例えば、ユーザ検知カード３０から送信された制御信号に基づいて、モータ駆動部１２２を制御して液晶パネルの向きを変更したり、受信装置１００のうちチューナ１０１や表示部１０７、音声出力部１０９等の主要な部位を駆動しない待機状態にしたり等の種々の制御を実行可能に構成されている。
【００３２】
ユーザ検知カード３０は、受信装置１２０のＣＩスロット１１０に挿入されている状態で、受信装置１２０から電源が供給されて動作し、検知部３３による撮像を開始する。制御部３２は、撮像された画像中から、例えばパターンマッチング等の公知技術を用いてユーザの存在やその位置を検知する。制御部３２は、例えば、ユーザの存在や位置の検知に応じて、次のように、ＣＩスロット１１０を介して受信装置１２０の制御部１２３に制御信号を送信する。すなわち、例えば、ユーザが検知部３３により撮像された画像中に存在し、且つ、その位置が変化しないまま所定時間経過したとき、制御部３２は、受信装置１２０のモータ１２１を駆動させるための制御信号を送信する。このとき、制御信号を送信し受信装置１２０の液晶パネルの向きが変化すると、撮像画像中のユーザの位置が変化する。制御部３２は、制御信号を送信しながらユーザの位置を検知し、ユーザが液晶パネルの正面に位置するような状態になったとき、制御信号の送信を停止する。これにより、ユーザに液晶パネルの正面を自動的に向けることができる。また、制御部３２は、ユーザが検知部３３の撮像画像中に存在しなくなったとき、存在しなくなってから所定時間経過すると、視聴を行うユーザは受信装置１２０の周囲に存在しないと判断し、受信装置１２０の主要部位を待機状態にさせるための制御信号を送信する。受信装置１２０の制御部１２３は、この制御信号が送信されると、表示部１０７などの駆動を停止させて待機状態とし、消費電力を低減する。制御部３２は、このように待機状態させるための制御信号を送信した後、ユーザが検知部３３の撮像画像中に存在することを検知すると、待機状態を解除させるための制御信号を受信装置１２０に送信する。受信装置１２０の制御部１２３は、この制御信号が送信されると、待機状態を解除し、ユーザ検知カード３０により検知されたユーザが視聴可能となるように制御を行う。
【００３３】
このように、第３実施形態においては、ユーザ検知カード３０をユーザ検知カード３０に対応する機能を有する受信装置１２０のＣＩスロット１１０に挿入して用いることにより、ユーザの位置やユーザの存否に応じて、受信装置１２０を、自動的に表示部がユーザに向くように動作させて便利に用いたり、自動的に待機状態にさせて省電力化させることができる。
【００３４】
なお、制御部３２は、検知部３３によりユーザの位置情報を検知し、その位置情報データを受信装置１２０の制御部１２３に送信し、受信装置１２０の制御部１２３においてその位置情報データに基づき、液晶パネルがそのユーザの正面に位置する状態にするのに必要なモータ１２１の駆動量を算出し、その必要な駆動量だけモータ１２１を駆動させるように、モータ駆動部１２２を制御するように構成されていてもよい。また、検知部は、上記のような撮像素子ではなく、例えば、人間の体温程度の熱を検知するように設定された焦電センサ等を用いて構成されており、制御部が、ユーザの存否の検知に応じて待機状態にする省電力動作を実行するように構成されていてもよい。
【００３５】
なお、本発明は上記実施形態の構成に限定されるものではなく、発明の趣旨を変更しない範囲で適宜に種々の変形が可能である。例えば、音声出力カードやタイムシフト視聴カードに設けられている操作入力部は、例えば、各カード自体にユーザにより操作可能に設けられたスイッチ、ボタン状に構成されていてもよいし、外部のリモートコントローラ等から送信された信号を受信可能に構成されているものであってもよい。また、音声出力カードには、操作入力部が設けられておらず、ＣＩスロット１１０に挿入されている状態では常にディジタル音声出力を行うように構成されていてもよい。さらにまた、上記音声出力カードやタイムシフト視聴カードは、上記の受信装置１００，１２０のような表示部１０７や音声出力部１０９を有する受像機型のものに限らず、地上ディジタル放送を受信して、例えば外部のモニタ等に映像出力するような、いわゆるセットトップボックス型のものであってもよい。
【図面の簡単な説明】
【００３６】
【図１】本発明の第１実施形態及び第２実施形態に係るカードと共に用いることができる受信装置の一例を示すブロック図。
【図２】本発明の第１実施形態に係る音声出力カードを示すブロック図。
【図３】本発明の第２実施形態に係るタイムシフト視聴カードを示すブロック図。
【図４】本発明の第３実施形態に係るユーザ検知カードを示すブロック図。
【図５】上記ユーザ検知カードと共に用いられる受信装置の一例を示すブロック図。
【図６】上記ユーザ検知カードと共に用いられる受信装置の一例を示す斜視図。
【符号の説明】
【００３７】
１０  音声出力カード
１１  接続部
１２  制御部
１３  復号部
１４  出力部
１５  操作入力部
１００  受信装置
１１０  ＣＩスロット（コモンインターフェーススロット）
【図１】
2009152777.tif 000003
【図２】
2009152777.tif 000004
【図３】
2009152777.tif 000005
【図４】
2009152777.tif 000006
【図５】
2009152777.tif 000007
【図６】
2009152777.tif 000008